(57)【要約】【課題】  外壁に孔を開けることなく設置できる独立構造体の提供。【解決手段】  簡易建物１と独立フレーム２とカバー材３とを備え、独立フレーム２は、門型に形成され、外壁４から離して設置してあり、カバー材３は、一端部が独立フレーム２又は簡易建物１に取付けられ、他端部が外壁４に付勢力をもって押し付けられて独立フレーム２と外壁４との間の隙間を塞いでおり、簡易建物１は独立フレーム２に取付けてある。【選択図】      図１
2018066143.tif 000002
【特許請求の範囲】
【請求項１】
簡易建物と独立フレームとカバー材とを備え、独立フレームは、門型に形成され、外壁から離して設置してあり、カバー材は、一端部が独立フレーム又は簡易建物に取付けられ、他端部が外壁に付勢力をもって押し付けられて独立フレームと外壁との間の隙間を塞いでおり、簡易建物は独立フレームに取付けてあることを特徴とする独立構造体。
【発明の詳細な説明】
【技術分野】
【０００１】
本発明は、建物の外部に設置されるサンルーム等の独立構造体に関する。
【背景技術】
【０００２】
非特許文献１には、建物の外壁から離れた位置に門型の独立フレームを設置し、独立フレームにガーデンルーム等の簡易建物を固定し、外壁と独立フレームとの隙間を雨避け材でカバーした独立構造体が記載されている。雨避け材は、外壁に孔を開けてビスで固定している。しかし、外壁に孔を開けると、外壁にひび割れが生じたり、躯体に雨水が浸入したりするおそれがあるため、外壁に孔を開けずに設置できるものが求められている。
【先行技術文献】
【特許文献】
【０００３】
【非特許文献１】三協立山株式会社 三協アルミ社発行のカタログ「ウォールエクステリア  カタログ」（カタログＮｏ．ＳＴＷ０４１８Ａ ＴＳ．１６．０３−１０２５）、２０１６年３月、ｐ．５７２−５８４
【発明の概要】
【発明が解決しようとする課題】
【０００４】
本発明は以上に述べた実情に鑑み、外壁に孔を開けることなく設置できる独立構造体の提供を目的とする。
【課題を解決するための手段】
【０００５】
上記の課題を達成するために請求項１記載の発明による独立構造体は、簡易建物と独立フレームとカバー材とを備え、独立フレームは、門型に形成され、外壁から離して設置してあり、カバー材は、一端部が独立フレーム又は簡易建物に取付けられ、他端部が外壁に付勢力をもって押し付けられて独立フレームと外壁との間の隙間を塞いでおり、簡易建物は独立フレームに取付けてあることを特徴とする。
【発明の効果】
【０００６】
請求項１記載の発明による独立構造体は、外壁から離して設置した独立フレームに簡易建物を取付け、カバー材は一端部を独立フレーム又は簡易建物に取付け、他端部を外壁に付勢力をもって押し付けて独立フレームと外壁との間の隙間を塞いだことで、外壁に孔を開けることなく設置できる。
【図面の簡単な説明】
【０００７】
【図１】本発明の第１実施形態に係る独立構造体の外壁側の上部を拡大して示す縦断面図である。
【図２】同独立構造体の縦断面図である。
【図３】同独立構造体の横断面図である。
【図４】同独立構造体の一部を拡大して示す正面図である。
【図５】同独立構造体の一部を拡大して示す平面図である。
【図６】同独立構造体の斜視図である。
【図７】同独立構造体の分解斜視図である。
【図８】本発明の第２実施形態に係る独立構造体の外壁側の上部を拡大して示す縦断面図である。
【図９】同独立構造体の横断面図である。
【発明を実施するための形態】
【０００８】
以下、本発明の実施の形態を図面に基づいて説明する。図１〜７は、本発明の独立構造体の第１実施形態を示している。本独立構造体は、図２，３，６に示すように、住宅等の建物の外壁４の屋外側に外壁４から離して設置した独立フレーム２と、独立フレーム２に取付けた簡易建物（サンルーム）１と、独立フレーム２と外壁４との隙間を塞ぐカバー材３とを備える。外壁４には掃出し窓６が取付けてあって（図２参照）、建物内から簡易建物１へと出入りできるようになっている。
【０００９】
独立フレーム２は、左右一対の柱７，７と、左右の柱７，７の上端部に架設した桁８とで門型に形成してある。左右の柱７，７は、図２に示すように、地面Ｇに開けた穴９に下端部を挿入し、まわりをコンクリート１０で固めてしっかりと自立させてある。桁８は、図１に示すように、上面に前側に向かって下り勾配で傾斜した傾斜面１１を有し、傾斜面１１の後側に水平面１２を有している。
【００１０】
カバー材３は、図６，７に示すように、左右の縦部材２２，２２と横部材２３とを備える。横部材２３は、図１に示すように、アルミ押出形材よりなる独立フレーム側部材４４及び外壁側部材４５と、外壁側部材４５を外壁４に押し付けるためのバネ（圧縮コイルバネ）４６と、これらの部材を上方から覆って外壁４と独立フレーム２間の隙間を塞ぐゴム製のタイト材４７とで構成してある。
独立フレーム側部材４４は、細い角棒状の部材であり、桁８の全長にわたって設けてあり、桁８の傾斜面１１の後部にネジ４８で取付けてある。独立フレーム側部材４４は、タイト材嵌め込み溝４９が上向きに開口して設けてある。
外壁側部材４５は、上下方向にやや幅の広い板状に形成され、上端部に独立フレーム２側に向けて開口するタイト材嵌め込み溝４９を有し、上端部と下端部の２箇所にタッピングホール５０が形成してある。外壁側部材４５の外壁４側の面には、突条５３が上下方向に間隔をおいて複数設けてあり、複数の突条５３で外壁４に当接している。外壁側部材４５は、図４，５に示すように、長手方向の両端部が桁８よりも側方に張り出している。
バネ４６は、図１に示すように、桁８の上面に取付けた桁側バネ受け５１ａと、外壁側部材４５に取付けた外壁側バネ受け５１ｂとで両端部を保持し、圧縮した状態で水平に配置してある。バネ４６は、外壁側部材４５の上下方向のちょうど中間に配置されており、上下方向に幅広に形成した外壁側部材４５の上下方向の中間をバネ４６でまっすぐに押されることで、横部材２３の回転や垂れ下がりを防止している。バネ４６は、図４，５に示すように、左右方向に間隔をおいて複数設けてある。
タイト材４７は、ゴムで薄い板状に形成され、裏面の前後２箇所に設けた差込部５２，５２を独立フレーム側部材４４と外壁側部材４５のタイト材嵌め込み溝４９に差し込んで取付けてある。タイト材４７の外壁側端部には、外壁４側に向けてのびるヒレ片４７ａを有し、その先端部を外壁４に沿うように変形させて外壁４に当接している。タイト材４７の独立フレーム２側端部には、下向きにのびるヒレ片４７ｂを有し、その先端部を桁８の上面に沿うように変形させて桁８上面に当接している。タイト材４７の２箇所の差し込み部５２，５２の間にはたるみをもたせてあり、これにより外壁４と桁８との間の見込み方向や上下方向の変位や誤差をタイト材４７によって吸収できるようになっている。タイト材４７は、図４，５に示すように、長手方向の両端部が桁８よりも側方に張り出している。
【００１１】
カバー材３の横部材２３の左右両端部には、図１，４，５に示すように板状の蓋３６を取付けて側面を塞いでいる。蓋３６は、独立フレーム２側よりも外壁４側の上下寸法が大きい台形状に形成してあり、蓋３６の上下寸法の大きい外壁４側の縁を外壁４に当接させることで、横部材２３の回転を規制している。蓋３６は、外壁側部材４５の上下のタッピングホール５０に螺入するネジで外壁側部材４５に取付けてあり、これにより桁８が見込方向に変位したとしても、蓋３６が変形したり破損したりすることがない。
【００１２】
カバー材３の縦部材２２は、図３に示すように、アルミ押出形材よりなる独立フレーム側部材２５と、ゴムで形成され蛇腹状に伸縮自在な隙間塞ぎ材２６とで構成してある。独立フレーム側部材２５は、柱７の側面の後部に沿わせてネジ２８で取付けてあり、後部に外壁４側に向けて開口する隙間塞ぎ材嵌め込み溝２７を有している。
隙間塞ぎ材２６は、ゴムで蛇腹状に形成し、見込方向に伸縮自在となっており、独立フレーム２側の端部に形成した嵌合部３１を独立フレーム側部材２５の隙間塞ぎ材嵌め込み溝２７に嵌め込んで取付けてある。隙間塞ぎ材２６は、外壁４と独立フレーム側部材２５との隙間に圧縮した状態で保持され、外壁４側の端部が外壁４に当接している。さらに、隙間塞ぎ材２６の外壁側端部の内周側には、軟質のヒレ片３２が外壁４側に向けて傾斜して設けられ、当該ヒレ片３２が変形して外壁４に接することで、雨水の浸入を防止している。隙間塞ぎ材２６は、見込方向に伸縮自在なため、外壁４と柱７間の変位や誤差を吸収可能であり、且つ外壁４と柱７の間からの雨水の浸入を阻止できる。
【００１３】
カバー材３の縦部材２２は、図２に示すように、下端が地面Ｇに当接している。縦部材２２の上端部は、図１，５に示すように、横部材２３の端部の蓋３６の内側に挿入され、桁８の上面より上方で横部材２３のタイト材４７の下面近くまでのびている。これにより、独立フレーム２から側方に張り出した横部材２３の蓋３６が水切りとなり、もし縦部材２２の上端と横部材２３の下面との間が完全に密閉されていなかったとしても、蓋３６周囲から流下する雨水が独立構造体の内部に浸入して漏水することを抑制できる。
【００１４】
簡易建物１は、図６，７に示すように、前面部３７と左右の側面部３８，３８と屋根部３９と床部４０とを備える公知のサンルームである。前面部３７と側面部３８には、図示しない折戸等の建具が取付けられ、屋根部３９には図示しない屋根パネルが取付けられ、床部４０には図示しない床板が取付けられる。簡易建物１は、建物側に設けられる左右の躯体方立４１，４１と垂木掛け４２を、独立フレーム２の柱７，７と桁８の前面に当接してねじ４３で固定して、独立フレーム２に取付けてある。
【００１５】
次に、本独立構造体の施工手順を説明する。まず、独立フレーム２の柱７，７を地面Ｇに埋め込んで立設し、柱７，７上に桁８を架設する。次に、カバー材３の縦部材２２，２２と横部材２３を取付ける。次に、独立フレーム２に取付けて簡易建物１を設置する。なお、カバー材３の取付けは、簡易建物１を設置した後に行うこともできる。
【００１６】
以上に述べたように本独立構造体は、外壁４から離して設置した独立フレーム２に簡易建物１を取付け、カバー材３は一端部を独立フレーム２に取付け、他端部を外壁４に付勢力をもって押し付けて独立フレーム２と外壁４との間の隙間を塞いだことで、外壁４に孔を開けることなく設置できる。外壁に孔を開けると躯体内部に雨水が浸入するおそれがあるが、本独立構造体は外壁４に孔を開けないので、躯体内に雨水が浸入するおそれがない。また、外壁に孔を開けた場合には、ハウスメーカーによる新築住宅に対する１０年間の保証が無効になるおそれがあるが、本独立構造体は外壁４に孔を開けないで設置できるので、ハウスメーカーによる住宅に対する保障が無効になることがなく、ハウスメーカーと建材メーカーの保証の棲み分けが明確にできる。
カバー材３の横部材２３は、独立フレーム側部材４４と外壁側部材４５の間にバネ４６を設け、独立フレーム側部材４４と外壁側部材４５にわたって、その上方の隙間を閉塞するタイト材４７を設けたので、台風や地震等による独立フレーム２と外壁４間の相対変位に追随しつつ、独立フレーム２と外壁４間の隙間を良好に閉塞し続けることができる。また、タイト材４７でバネ４６を直射日光や雨水から保護することで、バネ４６の付勢力を安定的に働かせられると共に、バネ４６の耐久性を向上できる。タイト材４７は着脱自在なため、バネ４６のメンテナンスも容易に行える。
外壁側部材４５の上下寸法を大きくし、その上下方向の中間部をバネ４６で押すことで、横部材２３の外壁側端部が外壁４を押す状態で安定して保持でき、これにより横部材２３の回転や垂れ下がりを防止できる。外壁側部材４５の両端部に取付ける蓋３６の外壁４側の上下寸法を独立フレーム２側よりも大きくし、その外壁４側の縁を外壁４に当接させることによっても、横部材２３の回転を規制することができる。
【００１７】
カバー材３の横部材２３は、外壁側部材４５の外壁４側の面にパッキン（図示省略）を設け、パッキンを介して外壁４に押し付けられるようにしてもよい。そうすることで、パッキンの摩擦力によりカバー材３の横ずれや垂れ下がりを防止できると共に、カバー材３と外壁４の間からの雨水の浸入を防止できる。また、外壁４に凹凸がある場合でも、パッキンが凹凸を埋める形で外壁４と隙間なく密着できる。
【００１８】
図８，９は、本発明の独立構造体の第２実施形態を示している。第１実施形態と異なる点について説明すると、図８に示すように、カバー材３の横部材２３は、外壁側部材４５の外周側端部（上端部）にシールポケット５４が形成してあり、シールポケット５４にシール材５５を充填し、外壁４とシールしてある。これにより、万が一タイト材４７を超えて雨水が浸入しても、シール材５５によって止水できるので、雨水の浸入をより確実に防止できる。また、シール材５５がタイト材４７のヒレ片４７ａで隠れており、タイト材５５が風雨にさらされないことから、タイト材５５の耐久性が高い。なお、シールポケット５４及びシール材５５は、タイト材４７の外周側端部に設けることもできる。
カバー材３の縦部材２２も、図９に示すように、外壁４側端部の外周側にシールポケット５７を有し、シールポケット５７にシール材５８を充填して、外壁４との間をシールしてある。これにより、縦部材２２の外壁４側端部が外壁４から離れて雨水が浸入することを防止できる。
【００１９】
本発明は以上に述べた実施形態に限定されない。外壁は、タイル、レンガ、窯業系や金属系のサイディング、ＡＬＣ等、いかなる種類のものであってもよい。カバー材の独立フレーム側部材や外壁側部材、タイト材の断面形状や材質等は、適宜変更することができる。実施形態のものは、カバー材の一端部を独立フレームに取付けているが、カバー材の一端部を簡易建物に取付けることもできる。カバー材の他端部を外壁に押し付けるための付勢部材は、コイルバネに限らず、板バネ、ゴム等、種々のものを用いることができ、その配置も適宜変更することができる。またカバー材は、アルミ等の形材をヒンジで連結して蛇腹状に伸縮自在に構成し、ヒンジ部等に組み込んだバネで伸長方向に付勢した構造であってもよい。簡易建物の構造は任意であり、サンルームに限らず、側面や前面が開放したテラスやパーゴラ等であってもよい。
【符号の説明】
【００２０】
１  簡易建物
２  独立フレーム
３  カバー材
４  外壁
４６  バネ（付勢部材）
【図１】
2018066143.tif 000003
【図２】
2018066143.tif 000004
【図３】
2018066143.tif 000005
【図４】
2018066143.tif 000006
【図５】
2018066143.tif 000007
【図６】
2018066143.tif 000008
【図７】
2018066143.tif 000009
【図８】
2018066143.tif 000010
【図９】
2018066143.tif 000011